(57)【要約】      （修正有）【課題】包装体積を減少でき、ストックと輸送コストを減らせ、使用後の医療廃棄物を減量でき、医療廃棄物処理コストを減らせる構造の腎臓透析用重炭酸塩容器の提供。【解決手段】ポリプロピレン材料で製造された可塑性の密閉式袋体１０とされ、その内部に重炭酸塩結晶薬粉２０が装填され、腎臓透析機のＢ液輸液管ライン上に接続して使用可能である。袋体１０の上下両端に袋体１０内部と連通する入液管１１と出液管１２が設けられ、且つ入液管１１と出液管１２の外側端にコネクタ１３とコネクタキャップ１４が設けられ、該コネクタ１３の開口端近くに雄ネジ１３１が設けられ、該コネクタキャップ１４に該コネクタ１３の雄ネジ１３１に対応する雌ネジ１４１が設けられ、並びに該コネクタキャップ１４内部の、その軸心線を延伸した位置にプラグ１４２が凸設され、該プラグ１４２は該コネクタキャップ１４が該コネクタ１３に螺合される時、ちょうどコネクタ１３の内径を塞ぐ。【選択図】図１
0003136574.tif 000002
【実用新案登録請求の範囲】
【請求項１】
内部に重炭酸塩結晶粉が装填されポリプロピレン材料で製造された可塑性の密封式の袋体とされて、腎臓透析機の薬液輸液管の管線上に接続されて使用可能な腎臓透析用重炭酸塩容器において、
該袋体の上下両端に該袋体内部と連通する入液管及び出液管が設けられ、且つ入液管と出液管の外側端にそれぞれコネクタとコネクタキャップが設けられ、該コネクタの開口端近くに雄ネジが設けられ、該コネクタキャップに該コネクタの雄ネジに対応する雌ネジが設けられ、該コネクタキャップ内部にその軸心線に沿ってプラグが凸設され、該プラグはコネクタキャップがコネクタに螺合される時にちょうどコネクタの内径を塞ぐことを特徴とする、腎臓透析用重炭酸塩容器。
【請求項２】
前記出液管と該袋体の接続部分にフィルタネットが設けられたことを特徴とする、請求項１記載の腎臓透析用重炭酸塩容器。
【請求項３】
前記出液管に管クリップが設けられたことを特徴とする、請求項１記載の腎臓透析用重炭酸塩容器。
【請求項４】
前記袋体の上端の二側に掛け耳が設けられたことを特徴とする、請求項１記載の腎臓透析用重炭酸塩容器。
【考案の詳細な説明】
【技術分野】
【０００１】
本考案は腎臓透析用重炭酸塩容器に係り、特に、直接腎臓透析の治療行程で使用され、ポリプロピレン材料で製造した可塑性の密封式袋体の内部に重炭酸塩結晶粉が装填され、袋体の上下両端に設けられた入液管及び出液管が腎臓透析機の薬液輸液管線に接続されて使用され、包装体積を減少でき、医療廃棄物処理コストを減らせる、腎臓透析用重炭酸塩容器に関する。
【背景技術】
【０００２】
現在、腎臓透析では適量の栄養成分とミネラルを含有する水溶液、すなわち透析液の提供が必要である。また、一般に、保存に便利なように、それはＡ液とＢ液の二種類に分けられ、Ａ液は強酸性ミネラル溶液とされ、それは、ナトリウム、カリウム、カルシウム、マグネシウム、酢酸ナトリウム、酢酸塩等を含有する。それは強酸性の液体であるため、細菌は繁殖しにくく、且つ混合時の各成分比率は有効に制御するのが難しいため、周知の伝統的な液態包装保存が採用されている。Ｂ液は一種の重炭酸塩栄養液であり、塩化カルシウムと炭酸水素ナトリウムの二種類の溶液を包含し、該Ｂ液は弱アルカリ性栄養剤とされ、ゆえにそれは細菌が繁殖しやすく、保存が容易でなく、特に出荷され、病院に運送されて患者に使用されるまでの時間は相当に長いが、時間が長くなるほど、細菌発生の確率は高くなり、患者への使用に不利となる。
【０００３】
上述の周知の液態方式包装のＢ液の欠点を解決するため、最近業者は乾式包装に改めており、使用時に純水を薬粉に注ぎ、溶解させた飽和溶液を直接腎臓透析の治療ラインで使用し、細菌の発生を防止している。しかし、周知の乾式方法で包装する構造は、高周波接合で一体とされるハードケース容器内に直接適量の薬粉（結晶の砂粒状）を装填し、並びに一体の容器の上下二端それぞれにコネクタを設け、純水と飽和溶液の導出が行なえるようにして、予期された使用効果を達成できるものとされる。
【考案の開示】
【考案が解決しようとする課題】
【０００４】
この周知の構造の欠点は以下のとおりである。この周知の容器の上下両端のコネクタは専属の腎臓透析機に合わせて設計され、それは一般の各種タイプの腎臓透析機に通用せず、広範な実用性に欠ける。また、この周知の容器はハードケース容器であり、この容器は使用時にさらに２００〜５００ｃｃの水を装填する必要があり、これにより、その包装体積は薬粉の体積より遥かに大きく、且つ箱詰めする時、各容器と容器の間に空隙が発生しやすく、そのため体積及び運送コストが増した。次に、毎回の使用で一つの約５００〜１０００ｃｃのハードケース容器を廃棄する必要があり、ゆえに廃棄容器の保存の体積が非常に大きく、またこの廃棄容器の焼却或いは処理のコストも高くつき、またそのために腎臓透析の治療コストも高くなる。ゆえに、上述の乾式腎臓透析用重炭酸塩容器の構造はさらに改良する必要がある。
【０００５】
本考案は、一種の腎臓透析用重炭酸塩容器を提供することを目的とし、それはポリプロピレン材料で製造した可塑性の密封式袋体の内部に重炭酸塩結晶粉が装填され、袋体の上下両端に設けられた入液管及び出液管が腎臓透析機の薬液輸液管線に接続されて使用され、使用に便利で医療廃棄物の発生を減らせるものとする。
【０００６】
本考案の腎臓透析用重炭酸塩容器は現在の各種腎臓透析機に組み合わせて使用できるものとする。
【課題を解決するための手段】
【０００７】
請求項１の考案は、内部に重炭酸塩結晶粉が装填されポリプロピレン材料で製造された可塑性の密封式の袋体とされて、腎臓透析機の薬液輸液管の管線上に接続されて使用可能な腎臓透析用重炭酸塩容器において、
該袋体の上下両端に該袋体内部と連通する入液管及び出液管が設けられ、且つ入液管と出液管の外側端にそれぞれコネクタとコネクタキャップが設けられ、該コネクタの開口端近くに雄ネジが設けられ、該コネクタキャップに該コネクタの雄ネジに対応する雌ネジが設けられ、該コネクタキャップ内部にその軸心線に沿ってプラグが凸設され、該プラグはコネクタキャップがコネクタに螺合される時にちょうどコネクタの内径を塞ぐことを特徴とする、腎臓透析用重炭酸塩容器としている。
請求項２の考案は、前記出液管と該袋体の接続部分にフィルタネットが設けられたことを特徴とする、請求項１記載の腎臓透析用重炭酸塩容器としている。
請求項３の考案は、前記出液管に管クリップが設けられたことを特徴とする、請求項１記載の腎臓透析用重炭酸塩容器としている。
請求項４の考案は、前記袋体の上端の二側に掛け耳が設けられたことを特徴とする、請求項１記載の腎臓透析用重炭酸塩容器としている。
【考案の効果】
【０００８】
総合すると、本考案の腎臓透析用重炭酸塩容器は、確実に包装体積を減らし、ストックと運送コストを減らし、使用時の医療廃棄物を減量し、医療廃棄物処理コストを減らす目的を達成する。また本考案はその出願前に市場に同じ物品は見られず、また刊行物に同一或いは相似の構造の記載もないため、新規性を有している。
【考案を実施するための最良の形態】
【０００９】
本考案の腎臓透析用重炭酸塩容器は、ポリプロピレン材料で製造した可塑性の密封式の袋体の内部に重炭酸塩結晶粉が装填され、袋体の上下両端に設けられた入液管及び出液管が腎臓透析機の薬液輸液管線に接続されて使用され、該袋体の上下両端に該袋体内部と連通する入液管と出液管が設けられ、且つ入液管と出液管外側端にそれぞれコネクタとコネクタキャップが設けられ、該コネクタの開口端近くに雄ネジが設けられ、該コネクタキャップに雌ネジが設けられて該コネクタの雄ネジに対応し、並びに該コネクタキャップ内部にその軸心線に沿ってプラグが凸設され、該プラグはコネクタキャップがコネクタに螺合される時にちょうどコネクタの内径を塞ぐ。
【００１０】
上述の構造を使用する時、該密閉式の袋体は可塑性の方式で薬粉を包装し、単一包装の体積を最小まで縮減でき、また箱詰め時に、各袋体は相互に空隙を補填できるため、ストック空間と運送コストを減らせる。また、袋体内部の薬粉及び薬液使用後には、袋体は自然に扁平となり、すなわち体積が最小の状態となり、プラスチック廃棄物の体積を減らせ、さらに、医療廃棄物の保存空間を減らせ、その医療廃棄物処理コストを減らせる。
【００１１】
図１から図３に示されるように、本考案の腎臓透析用重炭酸塩容器は、ポリプロピレン材料で製造された可塑性の密閉式袋体１０とされ、その内部に重炭酸塩結晶薬粉２０が装填され、腎臓透析機３０のＢ液輸液管３１ライン上に接続して使用可能である。その特徴は、袋体１０の上下両端に袋体１０内部と連通する入液管１１と出液管１２が設けられ、且つ入液管１１と出液管１２の外側端にコネクタ１３とコネクタキャップ１４が設けられ、該コネクタ１３の開口端近くに雄ネジ１３１が設けられ、該コネクタキャップ１４に該コネクタ１３の雄ネジ１３１に対応する雌ネジ１４１が設けられ、並びに該コネクタキャップ１４内部の、その軸心線を延伸した位置にプラグ１４２が凸設され、該プラグ１４２は該コネクタキャップ１４が該コネクタ１３に螺合される時、ちょうどコネクタ１３の内径を塞ぐ。
【００１２】
また、図１及び図３に示されるように、出液管１２と袋体１０の接続端にフィルタネット１５を設置可能であり、それにより未溶解の重炭酸塩結晶薬粉２０が直接流出するのを防止できる。また、出液管１２に管クリップ１６を増設可能であり、暫時腎臓透析溶液の提供が不要となる時、速やかに管クリップ１６で該出液管１２を閉鎖することができる。
【００１３】
上述の構造を使用する時、図３に示されるように、重炭酸塩結晶薬粉２０を装填した袋体１０をそれに予め設けられた掛け耳１７で腎臓透析機３０のフック３２に吊り掛け、入液管１１と出液管１２外側端のコネクタキャップ１４をそれぞれ開き、さらに逆浸透水源（ＲＯ水）に接続されたチューブ４０を入液管１１のコネクタ１３に接続して純水を導入し、出液管１２のコネクタ１３と腎臓透析機３０のＢ液輸液管３１を接続すれば、ライン上で即時使用できる。或いは図４のように、先に容器３３を腎臓透析機３０の一側に組付け、該容器３３の壁面に溝３３１が設けられ、袋体１０した端の出液管１２を通して使用できる。重炭酸塩結晶薬粉２０を装填した袋体１０を該容器３３内に置き、さらにそれぞれ前述の方式でチューブ４０とＢ液輸液管３１に接続し、使用の目的を達成し、且つ腎臓透析機の種類に関わらず使用できる機能を達成する。
【００１４】
上述したように、本考案の長所は該密閉式の袋体１０を可塑性の方式で重炭酸塩結晶薬粉２０を包装し、単一包装の体積は最小まで縮小でき、及び、複数の袋体１０を箱詰めするときに、各袋体１０の間の空隙を相互に補填でき、これによりストック空間と運送コストを減らせる効果を達成する。また、袋体１０内部の重炭酸塩結晶薬粉２０とそれを溶解した薬液の使用完了の後、該袋体１０は外部の大気圧力により圧縮され自然に扁平な薄片状となり（すなわち体積が最小の状態）、廃棄する袋体の体積が減少され、これにより医療廃棄物保存の空間が減少し、また、医療廃棄物処理のコストが経る。
【００１５】
以上の実施例の形状、構造は本考案の実行可能な実施例中の二つの実施例であり、本考案の実用新案登録請求の範囲はこれに限定されるものではなく、本考案の構想から離れない条件の下で、各部品は相似或いは同等の部品に交換可能である。
【図面の簡単な説明】
【００１６】
【図１】本考案の立体図である。
【図２】本考案の局部拡大図である。
【図３】本考案の実施例の組合せ使用状態図である。
【図４】本考案の別の実施例の組合せ使用状態図である。
【符号の説明】
【００１７】
１０  袋体            ２０  重炭酸塩結晶薬粉
３０  腎臓透析機      ４０  チューブ
１１  入液管          １２  出液管
１３  コネクタ        １４  コネクタキャップ
１５  フィルタネット  １６  管クリップ
１７  掛け耳          ３１  Ｂ液輸液管
３２  フック          ３３  容器
１３１  雄ネジ        １４１  雌ネジ
１４２  プラグ        ３３１  溝
【図１】
0003136574.tif 000003
【図２】
0003136574.tif 000004
【図３】
0003136574.tif 000005
【図４】
0003136574.tif 000006